(57)【要約】【課題】投射画像の調整を軽減可能な投射型表示装置、マルチプロジェクションシステム、マルチプロジェクションシステムの制御方法およびプログラムを提供すること。【解決手段】光源手段からの光束に基づく投射画像を被投射面に投射可能な投写型表示装置であって、被投射面において当該投写型表示装置とは異なる領域に画像を投射する他の投写型表示装置から得られる他の投写型表示装置の光源手段の光量に関する光源情報を取得する取得手段と、取得手段が取得した光源情報に基づいて、当該投写型表示装置の光源手段からの光量を制御する制御手段と、を備える。【選択図】図１
2016052048.tif 000002
【特許請求の範囲】
【請求項１】
光源手段からの光束に基づく投射画像を被投射面に投射可能な投写型表示装置であって、
前記被投射面において当該投写型表示装置とは異なる領域に画像を投射する他の投写型表示装置から得られる前記他の投写型表示装置の光源手段の光量に関する光源情報を取得する取得手段と、
前記取得手段が取得した前記光源情報に基づいて、当該投写型表示装置の前記光源手段からの光量を制御する制御手段と、を備えることを特徴とする投写型表示装置。
【請求項２】
前記制御手段は、当該投写型表示装置の光源情報と、前記取得手段が取得した前記光源情報との差分が小さくなるように当該投射型表示装置の前記光源手段からの光量を制御することを特徴とする請求項１に記載の投射型表示装置。
【請求項３】
前記光源情報は、各光源手段の明るさ、使用時間、点灯回数のうち少なくともいずれか１つであることを特徴とする請求項１または２に記載の投写型表示装置。
【請求項４】
当該投写型表示装置は、複数の光源手段を備え、
前記制御手段は、前記複数の光源手段のうち点灯させる光源手段を選択することを特徴とする請求項１から３のいずれか１項に記載の投射型表示装置。
【請求項５】
光源手段を備えた複数の投写型表示装置と、
前記投写型表示装置から前記光源手段の光量に関する光源情報を取得し、前記光源情報に基づいて、前記投写型表示装置ごとに前記光源手段からの光量を制御するマスター装置と、を有することを特徴とするマルチプロジェクションシステム。
【請求項６】
前記マスター装置は、前記光源情報の差分が小さくなるように、前記光源手段からの光量を制御することを特徴とする請求項５に記載のマルチプロジェクションシステム。
【請求項７】
前記マスター装置は、前記光源情報の最大値と最小値との差分が最も小さくなるように、前記光源手段からの光量を制御することを特徴とする請求項５または６に記載のマルチプロジェクションシステム。
【請求項８】
前記複数の投写型表示装置のうち少なくともいずれか１つは複数の光源手段を備え、
前記マスター装置は、前記光源情報に基づいて、前記投写型表示装置ごとに点灯させる光源手段を選択することを特徴とする請求項５から７のいずれか１項に記載のマルチプロジェクションシステム。
【請求項９】
前記マスター装置は、前記投写型表示装置ごとに１つの点灯光源を選択することを特徴とする請求項８に記載のマルチプロジェクションシステム。
【請求項１０】
前記マスター装置は、少なくともいずれか１つの投写型表示装置について、少なくとも２つ以上の点灯光源を選択することを特徴とする請求項８に記載のマルチプロジェクションシステム。
【請求項１１】
前記マスター装置は、少なくともいずれか１つの前記投写型表示装置に備えられていることを特徴とする請求項５から１０のいずれか１項に記載のマルチプロジェクションシステム。
【請求項１２】
光源手段を備えた複数の投写型表示装置から前記光源手段の光量に関する光源情報を取得するステップと、
前記光源情報に基づいて、前記投写型表示装置ごとに、前記光源手段からの光量を制御するステップと、を有することを特徴とするマルチプロジェクションシステムの制御方法。
【請求項１３】
光源手段を備えた複数の投写型表示装置から前記光源手段の光量に関する光源情報を取得するステップと、
前記光源情報に基づいて、前記投写型表示装置ごとに、前記光源手段からの光量を制御するステップと、をコンピュータに実行させることを特徴とするプログラム。
【発明の詳細な説明】
【技術分野】
【０００１】
本発明は、投写型表示装置、マルチプロジェクションシステム、マルチプロジェクションシステムの制御方法およびプログラムに関する。
【背景技術】
【０００２】
従来、投写型表示装置を複数用いて同一面に投写することにより、投写型表示装置に備えられている解像度以上での投写や、広範囲への投写が可能なマルチプロジェクションが知られている。投写型表示装置の個々の特性は均一ではないため、単純に投射画像を並べただけでは、投射画像間で輝度差や色味に差が生じてしまう。そのため、マルチプロジェクションを行う場合は、投射画像が全体画面として均一になるように、各投写型表示装置の投射画像を調整する必要がある。例えば、特許文献１では、投射画面を撮像するセンサカメラを用いて、画面の輝度が一定になるように光源の光量を制御する技術について開示されている。
【先行技術文献】
【特許文献】
【０００３】
【特許文献１】特開２００６−５０２５５号公報
【発明の概要】
【発明が解決しようとする課題】
【０００４】
しかしながら、特許文献１に開示された従来技術では、光源の明るさが低い、あるいは光源の劣化の具合が大きい投写型表示装置を用いた場合、その特性に合わせて他の投写型表示装置の画質を調整しなければならない。
【０００５】
このような課題を鑑みて、本発明は、投射画像の調整を軽減可能な投写型表示装置、マルチプロジェクションシステム、マルチプロジェクションシステムの制御方法およびプログラムを提供することを目的とする。
【課題を解決するための手段】
【０００６】
本発明の一側面としての投写型表示装置は、光源手段からの光束に基づく投射画像を被投射面に投射可能な投写型表示装置であって、前記被投射面において当該投写型表示装置とは異なる領域に画像を投射する他の投写型表示装置から得られる前記他の投写型表示装置の光源手段の光量に関する光源情報を取得する取得手段と、前記取得手段が取得した前記光源情報に基づいて、当該投写型表示装置の前記光源手段からの光量を制御する制御手段と、を備えることを特徴とする。
【０００７】
本発明の他の側面としてのマルチプロジェクションシステムは、光源手段を備えた複数の投写型表示装置と、前記投写型表示装置から前記光源手段の光量に関する光源情報を取得し、前記光源情報に基づいて、前記投写型表示装置ごとに前記光源手段からの光量を制御するマスター装置と、を有することを特徴とする。
【０００８】
また、本発明の他の側面としてのマルチプロジェクションシステムの制御方法は、光源手段を備えた複数の投写型表示装置から前記光源手段の光量に関する光源情報を取得するステップと、前記光源情報に基づいて、前記投写型表示装置ごとに、前記光源手段からの光量を制御するステップと、を有することを特徴とする。
【０００９】
また、本発明の他の側面としてのプログラムは、光源手段を備えた複数の投写型表示装置から前記光源手段の光量に関する光源情報を取得するステップと、前記光源情報に基づいて、前記投写型表示装置ごとに、前記光源手段からの光量を制御するステップと、をコンピュータに実行させることを特徴とする。
【発明の効果】
【００１０】
本発明によれば、投射画像の調整を軽減可能な投写型表示装置、マルチプロジェクションシステム、マルチプロジェクションシステムの制御方法およびプログラムを提供することができる。
【図面の簡単な説明】
【００１１】
【図１】実施例１のマルチプロジェクションシステムの構成図である。
【図２】実施例１のマルチプロジェクションシステムの制御方法についてのフローチャートである。
【図３】実施例１の光源情報の一例を示す図である。
【図４】実施例２のマルチプロジェクションシステムの構成図である。
【図５】実施例２のマルチプロジェクションシステムの制御方法についてのフローチャートである。
【発明を実施するための形態】
【００１２】
以下、本発明の実施例について、図面を参照しながら詳細に説明する。各図において、同一の部材については同一の参照番号を付し、重複する説明は省略する。
【実施例１】
【００１３】
まず、図１を用いて、本実施例のマルチプロジェクションシステムの構成について説明する。図１は、マルチプロジェクションシステムの構成図である。投射画像を投射可能に構成された投写型表示装置１００ａ，１００ｂは、同一の構成であり、マスター装置２００と通信可能に接続されている。接続方法は、有線・無線どちらでも構わない。マスター装置２００は、一般的なＰＣ（Ｐｅｒｓｏｎａｌ  Ｃｏｍｐｕｔｅｒ）を用いてもよいし、専用のコントローラを用いてもよい。
【００１４】
映像信号処理部１０１には、ＰＣなどの外部機器から与えられる映像信号が入力される。映像信号処理部１０１は、ＶＧＡ信号やＶｉｄｅｏ信号などのアナログ信号をデジタル信号に変換するＡＤ変換や、ＨＤＭＩ（登録商標）信号やＤＶＩ信号などのデジタル信号から所定のデジタル信号フォーマットへの変換を行う。さらには、操作時のメニュー表示処理や解像度変換を行い、光学ユニット１０５内部の液晶パネルを駆動する信号を生成する。
【００１５】
電源部１０２は、外部から入力されるＡＣ電源をＤＣ電源に変換し、バラスト１０３ａ１，１０３ａ２，１０３ｂ１，１０３ｂ２あるいは投写型表示装置１００ａ，１００ｂ内の各部に電源供給する。また、電源部１０２は、ＰＦＣ（Ｐｏｗｅｒ  Ｆａｃｔｏｒ  Ｃｏｒｒｅｃｔｉｏｎ）回路による力率改善等も行う。
【００１６】
バラスト１０３ａ１，１０３ａ２，１０３ｂ１，１０３ｂ２は、それぞれ光源（光源手段）１０４ａ１，１０４ａ２，１０４ｂ１，１０４ｂ２の電源であり、制御部１０８からの制御により、各光源の点灯・消灯を行う。また、各光源が点灯しない場合に、制御部１０８に通知する。
【００１７】
光学ユニット１０５は、照明光学素子、液晶パネル、色分離部、色合成部などから構成される。各光源からの光束は、照明光学素子で照度分布が均一化されるとともに、合成される。その後、色分離部にてＲＧＢ３色に分離し、分離した光はＲＧＢ３色それぞれの液晶パネルに照射される。液晶パネルは駆動信号に応じて透過率（反射率）を変え、ＲＧＢ３色それぞれの透過光（反射光）を色合成部にて合成することにより、画像が生成される。光学ユニット１０５で生成された画像は、投写レンズ１０６によってスクリーン（被投射面）に拡大投写される。このとき、各投射画像は他の投射画像と重ならないようにスクリーン上において各々異なる領域に投射されるが、投射画像の一部については他の投射画像と重なる部分があってもよい。
【００１８】
制御部１０８は、マイクロコンピュータなどのＣＰＵで構成され、投写型表示装置１００ａ，１００ｂの全般的な制御を行う。例えば、各バラストへの制御信号により対応する各光源の点灯・消灯制御や、各回路への電源供給制御、あるいは冷却用のＦＡＮ駆動などを行う。その他にも各光源の不点灯や、投写型表示装置１００ａ，１００ｂ内部の温度異常など、ＬＥＤの点灯によって使用者へ異常を知らせる処理なども行っている。
【００１９】
通信部１０７は、投写型表示装置１００ａ，１００ｂの外部装置と通信を行う。例えば、ＲＳ２３２ＣやＬＡＮなどでマスター装置２００と接続され、マスター装置２００との間でデータの送受信を行う。
【００２０】
記憶部１０９は、ＥＥＰＲＯＭやＦＬＡＳＨメモリなどの不揮発性メモリで構成され、投写型表示装置１００ａ，１００ｂの設定データや、異常発生時の状態記録（エラーコードの記録）などに使用される。記憶部１０９は、制御部１０８に接続されている。
【００２１】
次に、図２および図３を用いて、マスター装置２００および投写型表示装置１００ａ，１００ｂの制御方法について説明する。
【００２２】
図２は、マルチプロジェクションシステムの制御方法についてのフローチャートである。図２に示す方法は、コンピュータに各ステップの機能を実行させるためのプログラムとして具現化が可能であり、本実施例では、マスター装置２００によって実行可能である。
【００２３】
図３は、各光源の光量に関する光源情報の一例を示す図である。光源情報は、光源の明るさ、使用時間、点灯回数のうち少なくともいずれか１つである。光源情報の値が略等しい光源を点灯させることで、各投写型表示装置の投射画像の明るさを近づけることが可能となる。本実施例では、光源情報として、光源の明るさを用いている。図３の光源明るさの欄に記載されている数値は明るさのレベルを意味しており、新品で輝度が落ちていない状態を１００としたときの相対値である。また、点灯モードとして、「エコモード」と「明るさ優先モード」の２モードを用意し、点灯モードに応じて点灯させる光源（点灯光源）の選択を変更する。「エコモード」は消費電力を抑えることを光源選択の基準とし、点灯光源として投射型表示手段ごとに１つだけ選択する。「明るさ優先モード」はできるだけ明るく投写することを光源選択の基準とし、点灯光源として投射型表示手段ごとに１つだけでなく、複数選択してもよい。
【００２４】
まず、マスター装置２００の動作について、説明する。マルチプロジェクションとしての投写を開始すると、ステップＳ１００１では、マスター装置２００は各投写型表示装置に光源情報の送信要求を行う。ステップＳ１００２では、マスター装置２００は、各投写型表示装置から光源情報を受信したか否かを判定する。全ての光源情報を取得した場合には、ステップＳ１００３に進む。ステップＳ１００３では、各投写型表示装置の光源のうち点灯光源を選択する。本実施例では、点灯光源の光源明るさが最も近くなるように選択する。図３に示す例では、「エコモード」が選択されている場合、１つの光源点灯を基準としていることから、投写型表示装置１００ａでは光源１０４ａ２、投写型表示装置１００ｂでは光源１０４ｂ１を点灯光源として選択する。「明るさ優先モード」が選択されている場合、投写型表示装置１００ａでは光源１０４ａ１、投写型表示装置１００ｂでは光源１０４ｂ１，１０４ｂ２を点灯光源として選択する。そうすることで、できるだけ明るく投写することができ、かつ各投写型表示装置の明るさを近づけることが可能となる。ステップＳ１００４では、マスター装置２００は、点灯光源の情報（点灯光源情報）を各投写型表示装置に送信する。
【００２５】
次に、各投射型表示装置の動作について、説明する。ステップＳ２００１では、各投射型表示装置の制御部１０８は、通信部１０７を通じて、マスター装置２００から光源情報の送信要求を受信したか否かを判定する。マスター装置２００から光源情報の送信要求を受信した場合には、ステップＳ２００２に進む。ステップＳ２００２では、制御部１０８は、記憶部１０９に記録されている各光源の光源情報を読み出す。ステップＳ２００３では、各投写型表示装置は、読みだした光源情報を、通信部１０７を通じてマスター装置２００に送信する。図３に示す例では、投写型表示装置１００は光源１０４ａ１，１０４ａ２の光源情報９５，６０を送信し、投写型表示装置１００ｂは光源１０４ｂ１，１０４ｂ２の明るさ情報５５，４５を送信する。ステップＳ２００４では、制御部１０８は、各投写型表示装置が点灯光源情報を受信したか否かを判定する。ステップＳ２００５では、制御部１０８は、受信した点灯光源情報にしたがって、光源を点灯させる。
【００２６】
以上の処理により、各投写型表示装置の投射画像の明るさが近くなるので、投射画像の調整を軽減可能なマルチプロジェクションシステムを提供することができる。
【実施例２】
【００２７】
実施例１では、マスター装置２００をＰＣなど投写型表示装置１００ａ，１００ｂとは別に設ける場合について説明した。しかしながら、マスター装置２００は必ず必要な訳ではなく、投写型表示装置の制御部１０８が他の投写型表示装置から光源情報を取得する取得手段および光源情報に基づいて点灯光源を選択する制御手段としての役割を果たしてもよい。本実施例では、マスター装置を設けずに、投写型表示装置１００ａをマスター装置として機能させる場合について図４および図５を用いて説明する。なお、本実施例では、マスター装置を投写型表示装置１００ａで構成しているが、投写型表示装置１００ｂで構成してもよい。
【００２８】
図４は、本実施例のマルチプロジェクションシステムの構成図である。本実施例のシステム構成は、実施例１のシステム構成からマスター装置２００が削除されているのみで、それ以外は変更がないため、各投写型表示装置の構成については省略する。
【００２９】
次に、図５を用いて、マルチプロジェクションシステムの制御方法について説明する。図５は、本実施例のマルチプロジェクションシステムの制御方法についてのフローチャートである。図５に示す方法は、コンピュータに各ステップの機能を実行させるためのプログラムとして具現化が可能であり、本実施例では、投写型表示装置１００ａによって実行可能である。なお、投写型表示装置１００ｂの動作については、実施例１と同様であるので説明は省略する。
【００３０】
投写型表示装置１００ａがマスター装置として機能する場合、マスター装置の光源を選択する処理に加え、自らの光源情報の確認および選択した光源の点灯処理が必要となる。図５のフローチャートには、光源情報の確認（ステップＳ１１０２）と選択した光源の点灯（ステップＳ１１０６）の処理を追加しているのみで、それ以外の処理に変更はない。なお、本実施例においても実施例１と同様に、光源情報は、光源の明るさ、使用時間、点灯回数のうち少なくともいずれか１つである。
【００３１】
マスター装置となる投写型表示装置１００ａは、ステップＳ１１０１で投写型表示装置１００ｂに光源情報の送信要求を行った後、ステップＳ１１０２で自らが有する光源１０４ａ１，１０４ａ２の光源情報を確認する。投写型表示装置１００ａは、ステップＳ１１０３で投写型表示装置１００ｂから光源情報を受信したか否かを判定し、光源情報を取得した場合には、ステップＳ１１０４に進む。投写型表示装置１００ａは、ステップＳ１１０４で、自らの光源情報も踏まえて、各投写型表示装置の光源のうち点灯させる光源（点灯光源）を選択し、ステップＳ１１０５で、点灯光源の情報（点灯光源情報）を投写型表示装置１００ｂに送信する。投写型表示装置１００ａは、ステップＳ１１０６で、ステップＳ１１０４での光源選択処理にしたがって、自らが有する光源の点灯処理を行う。
【００３２】
以上の処理により、各投写型表示装置の投射画像の明るさが近くなるので、投射画像の調整を軽減可能なマルチプロジェクションシステムを提供できるとともに、投写型表示装置がマスター装置を兼用することが可能となる。
【００３３】
本実施形態では、２台の投写型表示装置を用いて、マルチプロジェクションを行っているが、さらにそれ以上の台数の投写型表示装置を用いて、マルチプロジェクションを行ってもよい。その場合、光源情報の差分が小さくなるように、点灯光源を選択することで、各投写型表示装置の投射画像の明るさを近づけることが可能となる。より好ましくは、光源情報の最大値と最小値との差分が最も小さくなるように、点灯光源を選択することで、各投写型表示装置の投射画像の明るさをさらに近づけることが可能となる。
【００３４】
また、本実施形態では各投写型表示装置は全て複数の光源を備えているが、光量を瞬時に変化可能な光源であれば投写型表示装置は複数の光源を備える必要はない。その場合、本実施形態のように光源情報に基づいて点灯光源を選択するのではなく、光源情報に基づいて光源の光量を調整すればよい。
【００３５】
以上、本発明の好ましい実施形態について説明したが、本発明はこれらの実施形態に限定されず、その要旨の範囲内で種々の変形及び変更が可能である。
【符号の説明】
【００３６】
１００ａ                投写型表示装置
１０４ａ１，１０４ａ２  光源（光源手段）
１０８                  制御部（制御手段，取得手段）
【図１】
2016052048.tif 000003
【図２】
2016052048.tif 000004
【図３】
2016052048.tif 000005
【図４】
2016052048.tif 000006
【図５】
2016052048.tif 000007